【手続補正書】
【提出日】平成19年3月15日(2007.3.15)
【手続補正１】
【補正対象書類名】明細書
【補正対象項目名】発明の名称
【補正方法】変更
【補正の内容】
【発明の名称】情報処理装置および方法、制御デバイスおよび制御デバイスの情報処理方法、情報処理システム、並びにプログラム格納媒体
【手続補正２】
【補正対象書類名】明細書
【補正対象項目名】特許請求の範囲
【補正方法】変更
【補正の内容】
【特許請求の範囲】
【請求項１】 複数の制御デバイスのうちの１つに接続された制御デバイスに内蔵され、アクセス権を取得した複数の制御デバイスの中の１つの制御デバイスによりアクセスされる情報処理装置において、
前記アクセス権を取得するためのモードを設定する設定手段と、
前記情報処理装置を内蔵している前記制御デバイスの製造時に付与される認証情報を保持する保持手段と、
前記設定手段により第１のモードが設定されている場合、前記制御デバイスの認証情報を要求する要求プロセスと、
前記要求プロセスにより送信されてきた認証情報を受信する受信プロセスと、
受信された認証情報と前記保持手段により保持されていた認証情報とが一致したとき、前記アクセス権を取得させる第１の応答コマンドを送信する第１の応答プロセスと
を含む処理を実行する第１の実行手段と、
前記設定手段により第２のモードが設定されている場合、前記アクセス権を取得させる第２の応答コマンドを送信する第２の応答プロセス
を含む処理を実行する第２の実行手段と
を備えることを特徴とする情報処理装置。
【請求項２】  前記１つの制御デバイスに内蔵されたことを検出する検出手段をさらに備え、
前記設定手段は、前記検出手段が前記１つの制御デバイスに内蔵されたことを検出した場合、前記第１のモードを設定し、前記１つの制御デバイスに内蔵されていないことを検出した場合、前記第２のモードを設定する
ことを特徴とする請求項１に記載の情報処理装置。
【請求項３】  前記制御デバイスから前記認証情報を取得する取得手段と、
前記取得手段により取得された前記認証情報と、前記保持手段に保持されている前記認証情報とを比較する比較手段と、
前記比較手段による比較結果に基づいて、自分自身の制御を許可し、前記アクセス権を取得させる信号を前記制御デバイスに出力する出力手段と
をさらに備えることを特徴とする請求項１に記載の情報処理装置。
【請求項４】  前記設定手段は、マニュアル操作に基づいて前記モードの設定が可能とされている
ことを特徴とする請求項１に記載の情報処理装置。
【請求項５】  前記制御デバイスと前記複数の制御デバイスのうちの１つとは、１３９４高速シリアルバスからなるバスにより接続されており、
前記認証情報は、GUIDである
ことを特徴とする請求項１に記載の情報処理装置。
【請求項６】 複数の制御デバイスのうちの１つに接続された制御デバイスに内蔵され、アクセス権を取得した複数の制御デバイスの中の１つの制御デバイスによりアクセスされる情報処理装置の情報処理方法において、
前記アクセス権を取得するためのモードを設定する設定ステップと、
前記情報処理装置を内蔵している前記制御デバイスの製造時に付与される認証情報を保持する保持ステップと、
前記設定ステップの処理により第１のモードが設定されている場合、前記制御デバイスの認証情報を要求する要求プロセスと、
前記要求プロセスにより送信されてきた認証情報を受信する受信プロセスと、
受信された認証情報と前記保持手段により保持されていた認証情報とが一致したとき、前記アクセス権を取得させる第１の応答コマンドを送信する第１の応答プロセスと
を含む処理を実行する第１の実行ステップと、
前記設定手段により第２のモードが設定されている場合、前記アクセス権を取得させる第２の応答コマンドを送信する第２の応答プロセス
を含む処理を実行する第２の実行ステップと
を含むことを特徴とする情報処理方法。
【請求項７】 複数の制御デバイスのうちの１つに接続された制御デバイスに内蔵され、アクセス権を取得した複数の制御デバイスの中の１つの制御デバイスによりアクセスされる情報処理装置を制御するプログラムにおいて、
前記アクセス権を取得するためのモードを設定する設定ステップと、
前記情報処理装置を内蔵している前記制御デバイスの製造時に付与される認証情報を保持する保持ステップと、
前記設定ステップの処理により第１のモードが設定されている場合、前記制御デバイスの認証情報を要求する要求プロセスと、
前記要求プロセスにより送信されてきた認証情報を受信する受信プロセスと、
受信された認証情報と前記保持手段により保持されていた認証情報とが一致したとき、前記アクセス権を取得させる第１の応答コマンドを送信する第１の応答プロセスと
を含む処理を実行する第１の実行ステップと、
前記設定手段により第２のモードが設定されている場合、前記アクセス権を取得させる第２の応答コマンドを送信する第２の応答プロセス
を含む処理を実行する第２の実行ステップと
を含むことを特徴とするコンピュータが読み取り可能なプログラムが記録されているプログラム格納媒体。
【請求項８】 複数の制御デバイスに接続された制御デバイスの１つであって、アクセス権を取得した複数の制御デバイスの中の１つの制御デバイスに内蔵される情報処理装置にアクセスする制御デバイスにおいて、
前記制御デバイスの製造時に付与される認証情報を保持する保持手段と、
前記情報処理装置を内蔵したことを検出する検出手段と、
前記検出手段により前記情報処理装置を内蔵したことが検出された場合、前記情報処理装置に対して保持手段により保持されている認証情報を供給し、前記認証情報を保持させる供給手段と
を備えることを特徴とする制御デバイス。
【請求項９】  前記制御デバイスと前記複数の制御デバイスとは、１３９４高速シリアルバスからなるバスにより接続されており、
前記認証情報は、GUIDである
ことを特徴とする請求項８に記載の情報処理装置。
【請求項１０】 複数の制御デバイスに接続された制御デバイスの１つであって、アクセス権を取得した複数の制御デバイスの中の１つの制御デバイスに内蔵される情報処理装置にアクセスする制御デバイスの情報処理方法において、
前記制御デバイスの製造時に付与される認証情報を保持する保持ステップと、
前記情報処理装置を内蔵したことを検出する検出ステップと、
前記検出ステップの処理により前記情報処理装置を内蔵したことが検出された場合、前記情報処理装置に対して保持ステップの処理により保持されている認証情報を供給し、前記認証情報を保持させる供給ステップと
を含むことを特徴とする制御デバイスの情報処理方法。
【請求項１１】 複数の制御デバイスに接続された制御デバイスの１つであって、アクセス権を取得した複数の制御デバイスの中の１つの制御デバイスに内蔵される情報処理装置にアクセスする制御デバイスを制御するプログラムであって、
前記制御デバイスの製造時に付与される認証情報を保持する保持ステップと、
前記情報処理装置を内蔵したことを検出する検出ステップと、
前記検出ステップの処理により前記情報処理装置を内蔵したことが検出された場合、前記情報処理装置に対して保持ステップの処理により保持されている認証情報を供給し、前記認証情報を保持させる供給ステップと
を含むことを特徴とするコンピュータが読み取り可能なプログラムが記録されているプログラム格納媒体。
【請求項１２】  相互に接続される複数の制御デバイスと、最初のアクセス権を取得した前記複数の制御デバイスの中の１つの制御デバイスによりアクセスされる情報処理装置とからなる情報処理システムにおいて、
前記制御デバイスは、
前記制御デバイスの製造時に付与される認証情報を保持する第１の保持手段と、
前記情報処理装置を内蔵したことを検出する第１の検出手段と、
前記第１の検出手段により前記情報処理装置を内蔵したことが検出された場合、前記情報処理装置に対して前記第１の保持手段により保持されている認証情報を供給し、前記認証情報を保持させる供給手段と、
前記アクセス権の要求コマンドを転送する転送手段と、
前記アクセス権の要求コマンドに応じて、前記情報処理装置から前記認証情報の要求があった場合、認証情報を送信する送信手段と
を含み、
前記情報処理装置は、
前記アクセス権を取得するためのモードを設定する設定手段と、
前記供給手段により供給されてくる、前記情報処理装置を内蔵する前記制御デバイスの製造時に付与される認証情報を保持する第２の保持手段と、
前記制御デバイスから転送されてくるアクセス権の要求コマンドを受信するコマンド受信手段と、
前記設定手段により第１のモードが設定されている場合、前記アクセス権の要求コマンドに基づいて、前記制御デバイスの認証情報を要求する要求プロセスと、
前記要求プロセスにより送信されてきた認証情報を受信する受信プロセスと、
受信された認証情報と前記第２の保持手段により保持されていた認証情報とが一致したとき、前記アクセス権を取得させる第１の応答コマンドを送信する第１の応答プロセスと
を含む処理を実行する第１の実行手段と、
前記設定手段により第２のモードが設定されている場合、前記アクセス権の要求コマンドに基づいて、前記アクセス権を取得させる第２の応答コマンドを送信する第２の応答プロセス
を含む処理を実行する第２の実行手段とを含む
ことを特徴とする情報処理システム。
【請求項１３】  前記情報処理装置は、
前記複数の制御デバイスのうちの１つの制御デバイスに内蔵されたことを検出する第２の検出手段をさらに備え、
前記設定手段は、前記第２の検出手段が前記制御デバイスに内蔵されたことを検出した場合、前記第１のモードを設定し、前記制御デバイスに内蔵されていないことを検出した場合、前記第２のモードを設定する
ことを特徴とする請求項１２に記載の情報処理システム。
【請求項１４】  前記制御デバイスから前記認証情報を取得する取得手段と、
前記取得手段により取得された前記認証情報と、前記第２の保持手段に保持されている前記認証情報とを比較する比較手段と、
前記比較手段による比較結果に基づいて、前記情報処理装置の制御を許可し、前記アクセス権を取得させる信号を前記制御デバイスに出力する出力手段と
をさらに備えることを特徴とする請求項１２に記載の情報処理システム。
【請求項１５】  前記設定手段は、マニュアル操作に基づいて前記モードの設定が可能とされている
ことを特徴とする請求項１２に記載の情報処理システム。
【請求項１６】  前記制御デバイスと前記複数の制御デバイスのうちの１つとは、１３９４高速シリアルバスからなるバスにより接続されており、
前記認証情報は、GUIDである
ことを特徴とする請求項１２に記載の情報処理システム。
【請求項１７】  相互に接続される複数の制御デバイスと、最初のアクセス権を取得した前記複数の制御デバイスの中の１つの制御デバイスによりアクセスされる情報処理装置とからなる情報処理システムの情報処理方法において、
前記制御デバイスの情報処理方法は、
前記制御デバイスの製造時に付与される認証情報を保持する第１の保持ステップと、
前記情報処理装置を内蔵したことを検出する第１の検出ステップと、
前記第１の検出ステップの処理により前記情報処理装置を内蔵したことが検出された場合、前記情報処理装置に対して前記第１の保持ステップの処理により保持されている認証情報を供給し、前記認証情報を保持させる供給ステップと、
前記アクセス権の要求コマンドを転送する転送ステップと、
前記アクセス権の要求コマンドに応じて、前記情報処理装置から前記認証情報の要求があった場合、認証情報を送信する送信ステップと
を含み、
前記情報処理装置の情報処理方法は、
前記アクセス権を取得するためのモードを設定する設定ステップと、
前記供給ステップの処理により供給されてくる、前記情報処理装置を内蔵する前記制御デバイスの製造時に付与される認証情報を保持する第２の保持ステップと、
前記制御デバイスから転送されてくるアクセス権の要求コマンドを受信するコマンド受信ステップと、
前記設定ステップの処理により第１のモードが設定されている場合、前記アクセス権の要求コマンドに基づいて、前記制御デバイスの認証情報を要求する要求プロセスと、
前記要求プロセスにより送信されてきた認証情報を受信する受信プロセスと、
受信された認証情報と前記第２の保持手段により保持されていた認証情報とが一致したとき、前記アクセス権を取得させる第１の応答コマンドを送信する第１の応答プロセスと
を含む処理を実行する第１の実行ステップと、
前記設定ステップの処理により第２のモードが設定されている場合、前記アクセス権の要求コマンドに基づいて、前記アクセス権を取得させる第２の応答コマンドを送信する第２の応答プロセス
を含む処理を実行する第２の実行ステップと
を含むことを特徴とする情報処理方法。
【請求項１８】  相互に接続される複数の制御デバイスと、最初のアクセス権を取得した前記複数の制御デバイスの中の１つの制御デバイスによりアクセスされる情報処理装置とからなる情報処理システムを実行させるプログラムであって、
前記制御デバイスのコンピュータに、
前記制御デバイスの製造時に付与される認証情報を保持する第１の保持ステップと、
前記情報処理装置を内蔵したことを検出する第１の検出ステップと、
前記第１の検出ステップの処理により前記情報処理装置を内蔵したことが検出された場合、前記情報処理装置に対して前記第１の保持ステップの処理により保持されている認証情報を供給し、前記認証情報を保持させる供給ステップと、
前記アクセス権の要求コマンドを転送する転送ステップと、
前記アクセス権の要求コマンドに応じて、前記情報処理装置から前記認証情報の要求があった場合、認証情報を送信する送信ステップと
を含む処理を実行させ、
前記情報処理装置のコンピュータに、
前記アクセス権を取得するためのモードを設定する設定ステップと、
前記供給ステップの処理により供給されてくる、前記情報処理装置を内蔵する前記制御デバイスの製造時に付与される認証情報を保持する第２の保持ステップと、
前記制御デバイスから転送されてくるアクセス権の要求コマンドを受信するコマンド受信ステップと、
前記設定ステップの処理により第１のモードが設定されている場合、前記アクセス権の要求コマンドに基づいて、前記制御デバイスの認証情報を要求する要求プロセスと、
前記要求プロセスにより送信されてきた認証情報を受信する受信プロセスと、
受信された認証情報と前記第２の保持手段により保持されていた認証情報とが一致したとき、前記アクセス権を取得させる第１の応答コマンドを送信する第１の応答プロセスと
を含む処理を実行する第１の実行ステップと、
前記設定ステップの処理により第２のモードが設定されている場合、前記アクセス権の要求コマンドに基づいて、前記アクセス権を取得させる第２の応答コマンドを送信する第２の応答プロセス
を含む処理を実行する第２の実行ステップと
を含む処理を実行させることを特徴とするコンピュータが読み取り可能なプログラムが記録されているプログラム格納媒体。
【手続補正３】
【補正対象書類名】明細書
【補正対象項目名】０００１
【補正方法】変更
【補正の内容】
【０００１】
【発明の属する技術分野】
本発明は、情報処理装置および方法、制御デバイスおよび制御デバイスの情報処理方法、情報処理システム、並びにプログラム格納媒体に関し、特に、IEEE（Institute of Electrical and Electronic Engineers）1394高速シリアルバスにより構成されたネットワーク上で、所定の情報処理装置が、所定の他の情報処理装置のアクセス権を獲得できるようにした情報処理装置および方法、制御デバイスおよび制御デバイスの情報処理方法、情報処理システム、並びにプログラム格納媒体に関する。
【手続補正４】
【補正対象書類名】明細書
【補正対象項目名】００１０
【補正方法】変更
【補正の内容】
【００１０】
【課題を解決するための手段】
本発明の情報処理装置は、複数の制御デバイスのうちの１つに接続された制御デバイスに内蔵され、アクセス権を取得した複数の制御デバイスの中の１つの制御デバイスによりアクセスされる情報処理装置において、前記アクセス権を取得するためのモードを設定する設定手段と、前記情報処理装置を内蔵している前記制御デバイスの製造時に付与される認証情報を保持する保持手段と、前記設定手段により第１のモードが設定されている場合、前記制御デバイスの認証情報を要求する要求プロセスと、前記要求プロセスにより送信されてきた認証情報を受信する受信プロセスと、受信された認証情報と前記保持手段により保持されていた認証情報とが一致したとき、前記アクセス権を取得させる第１の応答コマンドを送信する第１の応答プロセスとを含む処理を実行する第１の実行手段と、前記設定手段により第２のモードが設定されている場合、前記アクセス権を取得させる第２の応答コマンドを送信する第２の応答プロセスを含む処理を実行する第２の実行手段とを備えることを特徴とする。
【手続補正５】
【補正対象書類名】明細書
【補正対象項目名】００１１
【補正方法】変更
【補正の内容】
【００１１】
前記１つの制御デバイスに内蔵されたことを検出する検出手段をさらに設けるようにさせることができ、前記設定手段には、前記検出手段が前記１つの制御デバイスに内蔵されたことを検出した場合、前記第１のモードを設定し、前記１つの制御デバイスに内蔵されていないことを検出した場合、前記第２のモードを設定させるようにすることができる。
【手続補正６】
【補正対象書類名】明細書
【補正対象項目名】００１２
【補正方法】変更
【補正の内容】
【００１２】
前記バスを介して制御デバイスから認証情報を取得する取得手段と、取得手段により取得された認証情報と、保持手段に保持されている認証情報とを比較する比較手段と、比較手段による比較結果に基づいて、自分自身の制御を許可し、前記アクセス権を取得させる信号をバスを介して制御デバイスに出力する出力手段とをさらに設けるようにさせることができる。
【手続補正７】
【補正対象書類名】明細書
【補正対象項目名】００１４
【補正方法】変更
【補正の内容】
【００１４】
前記制御デバイスと前記複数の制御デバイスのうちの１つとは、１３９４高速シリアルバスからなるバスにより接続されるようにすることができ、認証情報は、GUIDとするようにすることができる。
【手続補正８】
【補正対象書類名】明細書
【補正対象項目名】００１５
【補正方法】変更
【補正の内容】
【００１５】
本発明の情報処理方法は、複数の制御デバイスのうちの１つに接続された制御デバイスに内蔵され、アクセス権を取得した複数の制御デバイスの中の１つの制御デバイスによりアクセスされる情報処理装置の情報処理方法であって、前記アクセス権を取得するためのモードを設定する設定ステップと、前記情報処理装置を内蔵している前記制御デバイスの製造時に付与される認証情報を保持する保持ステップと、前記設定ステップの処理により第１のモードが設定されている場合、前記制御デバイスの認証情報を要求する要求プロセスと、前記要求プロセスにより送信されてきた認証情報を受信する受信プロセスと、受信された認証情報と前記保持手段により保持されていた認証情報とが一致したとき、前記アクセス権を取得させる第１の応答コマンドを送信する第１の応答プロセスとを含む処理を実行する第１の実行ステップと、前記設定手段により第２のモードが設定されている場合、前記アクセス権を取得させる第２の応答コマンドを送信する第２の応答プロセスを含む処理を実行する第２の実行ステップとを含むことを特徴とする。
【手続補正９】
【補正対象書類名】明細書
【補正対象項目名】００１６
【補正方法】変更
【補正の内容】
【００１６】
本発明の第１のプログラム格納媒体のプログラムは、複数の制御デバイスのうちの１つに接続された制御デバイスに内蔵され、アクセス権を取得した複数の制御デバイスの中の１つの制御デバイスによりアクセスされる情報処理装置を制御するプログラムであって、前記アクセス権を取得するためのモードを設定する設定ステップと、前記情報処理装置を内蔵している前記制御デバイスの製造時に付与される認証情報を保持する保持ステップと、前記設定ステップの処理により第１のモードが設定されている場合、前記制御デバイスの認証情報を要求する要求プロセスと、前記要求プロセスにより送信されてきた認証情報を受信する受信プロセスと、受信された認証情報と前記保持手段により保持されていた認証情報とが一致したとき、前記アクセス権を取得させる第１の応答コマンドを送信する第１の応答プロセスとを含む処理を実行する第１の実行ステップと、前記設定手段により第２のモードが設定されている場合、前記アクセス権を取得させる第２の応答コマンドを送信する第２の応答プロセスを含む処理を実行する第２の実行ステップとを含むことを特徴とする。
【手続補正１０】
【補正対象書類名】明細書
【補正対象項目名】００１７
【補正方法】変更
【補正の内容】
【００１７】
本発明の制御デバイスは、複数の制御デバイスに接続された制御デバイスの１つであって、アクセス権を取得した複数の制御デバイスの中の１つの制御デバイスに内蔵される情報処理装置にアクセスする制御デバイスであって、前記制御デバイスの製造時に付与される認証情報を保持する保持手段と、前記情報処理装置を内蔵したことを検出する検出手段と、前記検出手段により前記情報処理装置を内蔵したことが検出された場合、前記情報処理装置に対して保持手段により保持されている認証情報を供給し、前記認証情報を保持させる供給手段とを備えることを特徴とする。
【手続補正１１】
【補正対象書類名】明細書
【補正対象項目名】００１８
【補正方法】変更
【補正の内容】
【００１８】
前記制御デバイスと前記複数の制御デバイスとは、１３９４高速シリアルバスからなるバスにより接続されるようにすることができ、認証情報は、GUIDとするようにすることができる。
【手続補正１２】
【補正対象書類名】明細書
【補正対象項目名】００１９
【補正方法】変更
【補正の内容】
【００１９】
本発明の制御デバイスの情報処理方法は、複数の制御デバイスに接続された制御デバイスの１つであって、アクセス権を取得した複数の制御デバイスの中の１つの制御デバイスに内蔵される情報処理装置にアクセスする制御デバイスの情報処理方法であって、前記制御デバイスの製造時に付与される認証情報を保持する保持ステップと、前記情報処理装置を内蔵したことを検出する検出ステップと、前記検出ステップの処理により前記情報処理装置を内蔵したことが検出された場合、前記情報処理装置に対して保持ステップの処理により保持されている認証情報を供給し、前記認証情報を保持させる供給ステップとを含むことを特徴とする。
【手続補正１３】
【補正対象書類名】明細書
【補正対象項目名】００２０
【補正方法】変更
【補正の内容】
【００２０】
本発明の第２のプログラム格納媒体のプログラムは、複数の制御デバイスに接続された制御デバイスの１つであって、最初のアクセス権を取得した複数の制御デバイスの中の１つの制御デバイスにアクセスする制御デバイスを制御するプログラムであって、前記制御デバイスの製造時に付与される認証情報を保持する保持ステップと、前記１つの制御デバイスの接続を検出する検出ステップと、前記検出ステップの処理により前記１つの制御デバイスの接続が検出された場合、前記１つの制御デバイスに対して保持ステップの処理により保持されている認証情報を供給し、前記認証情報を保持させる供給ステップとを含むことを特徴とする。
【手続補正１４】
【補正対象書類名】明細書
【補正対象項目名】００２１
【補正方法】変更
【補正の内容】
【００２１】
本発明の情報処理システムは、相互に接続される複数の制御デバイスと、最初のアクセス権を取得した前記複数の制御デバイスの中の１つの制御デバイスによりアクセスされる情報処理装置とからなる情報処理システムであって、前記制御デバイスは、前記制御デバイスの製造時に付与される認証情報を保持する第１の保持手段と、前記情報処理装置を内蔵したことを検出する第１の検出手段と、前記第１の検出手段により前記情報処理装置を内蔵したことが検出された場合、前記情報処理装置に対して前記第１の保持手段により保持されている認証情報を供給し、前記認証情報を保持させる供給手段と、前記アクセス権の要求コマンドを転送する転送手段と、前記アクセス権の要求コマンドに応じて、前記情報処理装置から前記認証情報の要求があった場合、認証情報を送信する送信手段とを含み、前記情報処理装置は、前記アクセス権を取得するためのモードを設定する設定手段と、前記供給手段により供給されてくる、前記情報処理装置を内蔵する前記制御デバイスの製造時に付与される認証情報を保持する第２の保持手段と、前記制御デバイスから転送されてくるアクセス権の要求コマンドを受信するコマンド受信手段と、前記設定手段により第１のモードが設定されている場合、前記アクセス権の要求コマンドに基づいて、前記制御デバイスの認証情報を要求する要求プロセスと、前記要求プロセスにより送信されてきた認証情報を受信する受信プロセスと、受信された認証情報と前記第２の保持手段により保持されていた認証情報とが一致したとき、前記アクセス権を取得させる第１の応答コマンドを送信する第１の応答プロセスとを含む処理を実行する第１の実行手段と、前記設定手段により第２のモードが設定されている場合、前記アクセス権の要求コマンドに基づいて、前記アクセス権を取得させる第２の応答コマンドを送信する第２の応答プロセスを含む処理を実行する第２の実行手段とを含むことを特徴とする。
【手続補正１５】
【補正対象書類名】明細書
【補正対象項目名】００２２
【補正方法】変更
【補正の内容】
【００２２】
前記複数の制御デバイスのうちの１つの制御デバイスに内蔵されたことを検出する第２の検出手段をさらに設けるようにさせることができ、設定手段には、第２の検出手段が１つの第２の制御デバイスに内蔵されたことを検出した場合、第１のモードを設定させ、１つの第２の制御デバイスに内蔵されていないことを検出した場合、第２のモードを設定するようにさせることができる。
【手続補正１６】
【補正対象書類名】明細書
【補正対象項目名】００２３
【補正方法】変更
【補正の内容】
【００２３】
前記バスを介して制御デバイスから認証情報を取得する取得手段と、取得手段により取得された認証情報と、第２の保持手段に保持されている認証情報とを比較する比較手段と、比較手段による比較結果に基づいて、前記情報処理装置の制御を許可し、前記アクセス権を取得させる信号を前記制御デバイスに出力する出力手段とをさらに設けるようにさせることができる。
【手続補正１７】
【補正対象書類名】明細書
【補正対象項目名】００２５
【補正方法】変更
【補正の内容】
【００２５】
前記制御デバイスと前記複数の制御デバイスのうちの１つとは、１３９４高速シリアルバスからなるバスにより接続されるようにすることができ、認証情報は、GUIDとするようにすることができる。
【手続補正１８】
【補正対象書類名】明細書
【補正対象項目名】００２６
【補正方法】変更
【補正の内容】
【００２６】
本発明の情報処理システムの情報処理方法は、相互に接続される複数の制御デバイスと、最初のアクセス権を取得した前記複数の制御デバイスの中の１つの制御デバイスによりアクセスされる情報処理装置とからなる情報処理システムの情報処理方法であって、前記制御デバイスの情報処理方法は、前記制御デバイスの製造時に付与される認証情報を保持する第１の保持ステップと、前記情報処理装置を内蔵したことを検出する第１の検出ステップと、前記第１の検出ステップの処理により前記情報処理装置を内蔵したことが検出された場合、前記情報処理装置に対して前記第１の保持ステップの処理により保持されている認証情報を供給し、前記認証情報を保持させる供給ステップと、前記アクセス権の要求コマンドを転送する転送ステップと、前記アクセス権の要求コマンドに応じて、前記情報処理装置から前記認証情報の要求があった場合、認証情報を送信する送信ステップとを含み、前記情報処理装置の情報処理方法は、前記アクセス権を取得するためのモードを設定する設定ステップと、前記供給ステップの処理により供給されてくる、前記情報処理装置を内蔵する前記制御デバイスの製造時に付与される認証情報を保持する第２の保持ステップと、前記制御デバイスから転送されてくるアクセス権の要求コマンドを受信するコマンド受信ステップと、前記設定ステップの処理により第１のモードが設定されている場合、前記アクセス権の要求コマンドに基づいて、前記制御デバイスの認証情報を要求する要求プロセスと、前記要求プロセスにより送信されてきた認証情報を受信する受信プロセスと、受信された認証情報と前記第２の保持手段により保持されていた認証情報とが一致したとき、前記アクセス権を取得させる第１の応答コマンドを送信する第１の応答プロセスとを含む処理を実行する第１の実行ステップと、前記設定ステップの処理により第２のモードが設定されている場合、前記アクセス権の要求コマンドに基づいて、前記アクセス権を取得させる第２の応答コマンドを送信する第２の応答プロセスを含む処理を実行する第２の実行ステップとを含むことを特徴とする。
【手続補正１９】
【補正対象書類名】明細書
【補正対象項目名】００２７
【補正方法】変更
【補正の内容】
【００２７】
本発明の情報処理システムのプログラム格納媒体のプログラムは、相互に接続される複数の制御デバイスと、最初のアクセス権を取得した前記複数の制御デバイスの中の１つの制御デバイスによりアクセスされる情報処理装置とからなる情報処理システムを実行させるプログラムであって、前記制御デバイスのコンピュータに、前記制御デバイスの製造時に付与される認証情報を保持する第１の保持ステップと、前記情報処理装置を内蔵したことを検出する第１の検出ステップと、前記第１の検出ステップの処理により前記情報処理装置を内蔵したことが検出された場合、前記情報処理装置に対して前記第１の保持ステップの処理により保持されている認証情報を供給し、前記認証情報を保持させる供給ステップと、前記アクセス権の要求コマンドを転送する転送ステップと、前記アクセス権の要求コマンドに応じて、前記情報処理装置から前記認証情報の要求があった場合、認証情報を送信する送信ステップとを含む処理を実行させ、前記情報処理装置のコンピュータに、前記アクセス権を取得するためのモードを設定する設定ステップと、前記供給ステップの処理により供給されてくる、前記情報処理装置を内蔵する前記制御デバイスの製造時に付与される認証情報を保持する第２の保持ステップと、前記制御デバイスから転送されてくるアクセス権の要求コマンドを受信するコマンド受信ステップと、前記設定ステップの処理により第１のモードが設定されている場合、前記アクセス権の要求コマンドに基づいて、前記制御デバイスの認証情報を要求する要求プロセスと、前記要求プロセスにより送信されてきた認証情報を受信する受信プロセスと、受信された認証情報と前記第２の保持手段により保持されていた認証情報とが一致したとき、前記アクセス権を取得させる第１の応答コマンドを送信する第１の応答プロセスとを含む処理を実行する第１の実行ステップと、前記設定ステップの処理により第２のモードが設定されている場合、前記アクセス権の要求コマンドに基づいて、前記アクセス権を取得させる第２の応答コマンドを送信する第２の応答プロセスを含む処理を実行する第２の実行ステップとを含む処理を実行させることを特徴とする。
【手続補正２０】
【補正対象書類名】明細書
【補正対象項目名】００２８
【補正方法】変更
【補正の内容】
【００２８】
本発明の情報処理装置および方法、並びに第１のプログラム格納媒体においては、前記アクセス権を取得するためのモードが設定され、前記情報処理装置を内蔵している前記制御デバイスの製造時に付与される認証情報が保持され、第１のモードが設定されている場合、前記制御デバイスの認証情報を要求する要求プロセスと、前記要求プロセスにより送信されてきた認証情報を受信する受信プロセスと、受信された認証情報と前記保持手段により保持されていた認証情報とが一致したとき、前記アクセス権を取得させる第１の応答コマンドを送信する第１の応答プロセスとを含む処理が実行され、第２のモードが設定されている場合、前記アクセス権を取得させる第２の応答コマンドを送信する第２の応答プロセスを含む処理が実行される。
【手続補正２１】
【補正対象書類名】明細書
【補正対象項目名】００２９
【補正方法】変更
【補正の内容】
【００２９】
本発明の制御デバイスおよび方法、並びに第２のプログラム格納媒体においては、前記制御デバイスの製造時に付与される認証情報が保持され、前記情報処理装置を内蔵したことが検出された場合、前記情報処理装置に対して保持されている認証情報が供給され、前記認証情報が保持させられる。
【手続補正２２】
【補正対象書類名】明細書
【補正対象項目名】００３０
【補正方法】変更
【補正の内容】
【００３０】
本発明の情報処理システムおよび方法、並びに第３のプログラム格納媒体においては、前記制御デバイスにより、前記制御デバイスの製造時に付与される認証情報が保持され、前記情報処理装置を内蔵したことが検出され、前記情報処理装置を内蔵したことが検出された場合、前記情報処理装置に対して保持されている認証情報が供給され、前記認証情報が保持され、前記アクセス権の要求コマンドが転送され、前記アクセス権の要求コマンドに応じて、前記情報処理装置から前記認証情報の要求があった場合、認証情報が送信され、前記情報処理装置により、前記アクセス権を取得するためのモードが設定され、供給されてくる、前記情報処理装置を内蔵する前記制御デバイスの製造時に付与される認証情報が保持され、前記制御デバイスから転送されてくるアクセス権の要求コマンドが受信され、第１のモードが設定されている場合、前記アクセス権の要求コマンドに基づいて、前記制御デバイスの認証情報を要求する要求プロセスと、前記要求プロセスにより送信されてきた認証情報を受信する受信プロセスと、受信された認証情報と保持されていた認証情報とが一致したとき、前記アクセス権を取得させる第１の応答コマンドを送信する第１の応答プロセスとを含む処理が実行され、第２のモードが設定されている場合、前記アクセス権の要求コマンドに基づいて、前記アクセス権を取得させる第２の応答コマンドを送信する第２の応答プロセスを含む処理が実行される。
【手続補正２３】
【補正対象書類名】明細書
【補正対象項目名】０１３４
【補正方法】変更
【補正の内容】
【０１３４】
【発明の効果】
本発明の情報処理装置および方法、並びに第１のプログラム格納媒体によれば、前記アクセス権を取得するためのモードを設定し、前記情報処理装置を内蔵している前記制御デバイスの製造時に付与される認証情報を保持し、第１のモードが設定されている場合、前記制御デバイスの認証情報を要求する要求プロセスと、前記要求プロセスにより送信されてきた認証情報を受信する受信プロセスと、受信された認証情報と前記保持手段により保持されていた認証情報とが一致したとき、前記アクセス権を取得させる第１の応答コマンドを送信する第１の応答プロセスとを含む処理を実行し、第２のモードが設定されている場合、前記アクセス権を取得させる第２の応答コマンドを送信する第２の応答プロセスを含む処理を実行するようにした。
【手続補正２４】
【補正対象書類名】明細書
【補正対象項目名】０１３５
【補正方法】変更
【補正の内容】
【０１３５】
本発明の制御デバイスおよび方法、並びに第２のプログラム格納媒体によれば、前記制御デバイスの製造時に付与される認証情報を保持し、前記情報処理装置を内蔵したことを検出した場合、前記情報処理装置に対して保持されている認証情報を供給し、前記認証情報を保持させる。
【手続補正２５】
【補正対象書類名】明細書
【補正対象項目名】０１３６
【補正方法】変更
【補正の内容】
【０１３６】
本発明の情報処理システムおよび方法、並びに第３のプログラム格納媒体によれば、前記制御デバイスが、前記制御デバイスの製造時に付与される認証情報を保持し、前記情報処理装置を内蔵したことを検出し、前記情報処理装置を内蔵したことを検出した場合、前記情報処理装置に対して保持されている認証情報を供給し、前記認証情報を保持させ、前記アクセス権の要求コマンドを転送し、前記アクセス権の要求コマンドに応じて、前記情報処理装置から前記認証情報の要求があった場合、認証情報を送信し、前記情報処理装置が、前記アクセス権を取得するためのモードを設定し、供給されてくる、前記情報処理装置を内蔵する前記制御デバイスの製造時に付与される認証情報を保持し、前記制御デバイスから転送されてくるアクセス権の要求コマンドを受信し、第１のモードを設定している場合、前記アクセス権の要求コマンドに基づいて、前記制御デバイスの認証情報を要求する要求プロセスと、前記要求プロセスにより送信されてきた認証情報を受信する受信プロセスと、受信された認証情報と保持されていた認証情報とが一致したとき、前記アクセス権を取得させる第１の応答コマンドを送信する第１の応答プロセスとを含む処理を実行するようにし、第２のモードが設定されている場合、前記アクセス権の要求コマンドに基づいて、前記アクセス権を取得させる第２の応答コマンドを送信する第２の応答プロセスを含む処理が実行するようにした。